(57)【要約】【課題】  使用者全身の頚椎部からアキレス腱までの背中側全体に対して、揉み玉による揉みほぐし効果を一度に提供することができ、また、省スペース化にも優れたマッサージ装置を提供する。【解決手段】  支持部４と当該支持部４の上側に接続部５を介して立設された背凭れ部２とから形成され、立位でマッサージ可能なマッサージ装置１であって、前記背凭れ部２は、立位の使用者全身の背中側に対応する面を有し、使用者の頚椎部からアキレス腱までの使用者の身体部位をマッサージ可能なマッサージ機構３が背凭れ側に突設されている。【選択図】図１
2015150265.tif 000002
【特許請求の範囲】
【請求項１】
支持部と当該支持部に支持された背凭れ部とから形成され、立位でマッサージ可能なマッサージ装置であって、
前記背凭れ部は、立位の使用者全身の背中側に対応する面を有し、使用者の頚椎部からアキレス腱までの使用者の身体部位をマッサージ可能な一又は二以上の揉み玉が背凭れ側に突設されていることを特徴とするマッサージ装置。
【請求項２】
前記背凭れ部は、水平方向に対して傾斜して形成されていることを特徴とする請求項１に記載のマッサージ装置。
【請求項３】
前記揉み玉は、使用者の頚椎部、肩部、背中部、腰部、臀部、大腿部、脹脛部又はアキレス腱の少なくとも１つに対応する前記背凭れ部の背凭れ側に突設されていることを特徴とする請求項１又は２のいずれかに記載のマッサージ装置。
【請求項４】
前記揉み玉は、背凭れ部の背凭れ側をスライド移動可能に形成されていることを特徴とする請求項１乃至３のいずれかに記載のマッサージ装置。
【請求項５】
前記背凭れ部は、前記支持部を基台として、当該支持部の上側に立設され、使用者が当該支持部上面に載って立位でマッサージを行うことを特徴とする請求項１乃至４に記載のマッサージ装置。
【請求項６】
前記支持部の上面は、使用者が足裏を載置した際、爪先側が踵部よりも上になるように傾斜して形成されていることを特徴とする請求項５に記載のマッサージ装置。
【請求項７】
前記支持部の上面には、足裏をマッサージする複数の突起が設けられていることを特徴とする請求項５又は６のいずれかに記載のマッサージ装置。
【請求項８】
前記複数の突起は、前記支持部上面において、使用者足裏の土踏まずから爪先部までに対応する位置にのみ設けられていることを特徴とする請求項５乃至７のいずれかに記載のマッサージ装置。
【請求項９】
前記支持部の上面は、振動可能に形成されていることを特徴とする請求項５乃至８に記載のマッサージ装置。
【発明の詳細な説明】
【技術分野】
【０００１】
本発明は、立位で使用者全身の背中側全体を揉み玉によって揉みほぐすことのできるマッサージ装置に関する。
【背景技術】
【０００２】
従来、使用者の全身をマッサージすることのできるマッサージ装置として、背凭れ部に背部及び腰部方向に昇降するマッサージ部材を備えた背部マッサージ機構と、座部と足載せ部に夫々備えた下腿マッサージ機構とを設け、座位で全身マッサージが可能な椅子式マッサージ機が提供されている（特許文献１）。
【０００３】
また、立位でマッサージすることのできるマッサージ装置としては、マッサージ動作面を使用者の背中に対応する位置と下肢に対応する位置のいずれかを選択して移動させることができ、使用者の身体背面の背中部又は脚部を選んで、立ったままで簡便に本格的なマッサージを行うことのできる省スペースの起立型マッサージ装置が提供されている（特許文献２）。
【先行技術文献】
【特許文献】
【０００４】
【特許文献１】特開２００９−５０５８３号公報
【特許文献２】特開２０１０−９９１５０号公報
【発明の概要】
【発明が解決しようとする課題】
【０００５】
しかしながら、前記特許文献１に記載の椅子式マッサージ機では、背部、腰部及び下肢をマッサージすることはできるものの、足載せ部によって下腿マッサージ機構の足先方向への移動が阻害され、使用者のアキレス腱までもマッサージすることができないという問題があった。当該アキレス腱は、人の立位状態を維持するための重要な身体部位であって疲労し易いため、十分にマッサージをして揉みほぐす必要がある。
【０００６】
また、当該椅子式マッサージ機は、非常に大掛かりな装置で構成されており、載置するスペースが無駄であり、簡易にマッサージをすることができないという問題があった。
【０００７】
また、前記特許文献２に記載の起立型マッサージ装置では、立位でマッサージをすることができ、また、省スペース化を図ることはできるものの、背中部か下肢かを選択してマッサージをしなければならず、また、アキレス腱や足裏をマッサージすることはできず、全身のマッサージを一度にすることができないという問題があった。
【０００８】
そこで、本発明は、使用者全身の頚椎部からアキレス腱までの背中側全体に対して、揉み玉による揉みほぐし効果を一度に提供することができ、また、省スペース化にも優れたマッサージ装置を提供することを課題とした。
【課題を解決するための手段】
【０００９】
上記課題を解決するために、本発明は次のように構成した。すなわち、本発明に係る請求項１に記載のマッサージ装置は、支持部と当該支持部に支持された背凭れ部からなるマッサージ装置であって、前記背凭れ部は、立位の使用者全身の背中側全体に対応する大きさで、使用者の頚椎部からアキレス腱までの使用者の身体部位をマッサージ可能な一又は二以上の揉み玉が背凭れ側に突設されていることを特徴としている。
【００１０】
また、請求項２に記載のマッサージ装置は、前記背凭れ部が、水平方向に対して傾斜して形成されていることを特徴としている。
【００１１】
また、請求項３に記載のマッサージ装置は、前記揉み玉が、使用者の頚椎部、肩部、背中部、腰部、臀部、大腿部、脹脛部又はアキレス腱の少なくとも１つに対応する前記背凭れ部の背凭れ側に突設されていることを特徴としている。
【００１２】
また、請求項４に記載のマッサージ装置は、前記揉み玉が、背凭れ部の背凭れ側をスライド移動可能に形成されていることを特徴としている。
【００１３】
また、請求項５に記載のマッサージ装置は、前記背凭れ部が、前記支持部を基台として、当該支持部の上側に立設され、使用者が当該支持部上面に載って立位でマッサージを行うことを特徴としている。
【００１４】
また、請求項６に記載のマッサージ装置は、前記支持部の上面が、使用者が足裏を載置した際、爪先側が踵部よりも上になるように傾斜して形成されていることを特徴としている。
【００１５】
また、請求項７に記載のマッサージ装置は、前記支持部の上面に、足裏をマッサージする複数の突起が設けられていることを特徴としている。
【００１６】
また、請求項８に記載のマッサージ装置は、前記複数の突起が、前記支持部上面において、使用者足裏の土踏まずから爪先部までに対応する位置にのみ設けられていることを特徴としている。
【００１７】
さらに、請求項９に記載のマッサージ装置は、前記支持部の上面が、振動可能に形成されていることを特徴としている。
【発明の効果】
【００１８】
本発明に係る請求項１に記載のマッサージ装置によれば、立位で使用者の頚椎部からアキレス腱までの背中側全体を一度にマッサージすることができ、また、立位でマッサージすることから省スペース化をも図ることができる。
【００１９】
また、請求項２に記載のマッサージ装置によれば、背凭れ部の傾斜に沿って使用者が凭れ掛かることができ、立位であってもリラックスして全身のマッサージを行うことができる。
【００２０】
また、請求項３に記載のマッサージ装置によれば、立位で使用者の背中側の頚椎部、肩部、背中部、腰部、臀部、大腿部、脹脛部又はアキレス腱のうち一箇所又は複数個所を使用者の所望に応じて適宜マッサージすることができる。
【００２１】
また、請求項４に記載のマッサージ装置によれば、揉み玉をスライド移動させることにより、使用者が所望するマッサージ箇所の全てに揉み玉を設ける必要がなく、全身マッサージを行うことができる。また、揉み玉がスライド移動することによって使用者の身体表面に擦れるため、当該スライド移動による揉み効果を得ることができる。
【００２２】
また、請求項５に記載のマッサージ装置によれば、使用者は、支持部の上面に乗り、立位で背中側全体のマッサージをすることができ、また、使用者自身の自重で以っても背凭れ部を支持することができる。
【００２３】
また、請求項６に記載のマッサージ装置によれば、足裏の爪先側が上になるように傾斜した状態で支持部の上面に載ることにより、背凭れ部に凭れ掛かりやすくリラックスした状態でマッサージを行うことができ、また、自動的にアキレス腱が伸びるため、使用者が意識することなくアキレス腱を伸ばしてほぐすこともできる。
【００２４】
また、請求項７に記載のマッサージ装置によれば、支持部上面に複数の突起を設けたことにより、足裏のツボまで含めて全身マッサージをすることができる。
【００２５】
また、請求項８に記載のマッサージ装置によれば、足裏のツボが足先から土踏まずまでの範囲に集中して存在しているため、足裏のツボを効率よくマッサージすることができ、且つ、背凭れ部のマッサージによる身体に揺れに対して、突起を設けない平坦面の踵部側で足裏がズレないように踏ん張ることができる。
【００２６】
さらに、請求項９に記載のマッサージ装置によれば、支持部の上面部の振動により、より効率的に足裏のツボをマッサージすることができる。
【図面の簡単な説明】
【００２７】
【図１】本発明に係る第一実施例のマッサージ装置を示す外観斜視図である。
【図２】当該マッサージ装置に係る背凭れ部の内部構造を示す図である。
【図３】当該マッサージ装置に係る第一マッサージ機構を示す図である。
【図４】当該マッサージ装置に係る第二マッサージ機構を示す図である。
【図５】当該マッサージ装置を折畳んだ状態を示す側面図である。
【図６】当該マッサージ装置の使用状態を示す側面図である。
【図７】本発明に係る第二実施例のマッサージ装置を示す外観斜視図である。
【図８】当該マッサージ装置の使用状態を示す側面図である。
【発明を実施するための形態】
【００２８】
以下、図面に基づき、マッサージ装置１について具体的に説明する。
【００２９】
まず、第一実施例のマッサージ装置１について説明する。図１は、本発明に係る第一実施例のマッサージ装置１を示す外観斜視図である。当該図１に示すように、当該マッサージ装置１は、基本的に、背凭れ部２と、当該背凭れ部２に内蔵されたマッサージ機構３と、前記背凭れ部２を折畳み可能に支持する支持部４と、当該支持部４及び背凭れ部２を接続する接続部５と、左右の手摺り６とから構成されている。
【００３０】
図２は、前記背凭れ部２の内部構造を示す図である。当該背凭れ部２は、長方形状のフレーム２１に板状のウレタンスポンジ２２を取り付け、図示しないカバーを当該ウレタンスポンジ２２に被覆して形成される。当該ウレタンスポンジ２２には、前記マッサージ機構３を内蔵するための中空部２３が設けられている。また、当該フレーム２１の左右上部には、ラチェット機構２４が設けられ、当該背凭れ部２の上部（頚椎部のマッサージを行う部分）の角度を調整できるように形成されている。
【００３１】
また、当該背凭れ部２は、図１に示すように、水平方向に対する角度αを調節できるように接続部５を介して支持部４の上側に立設されている。当該背凭れ部２の立設角度を傾斜させることにより、使用者は、背凭れ部２に凭れ掛かった状態でリラックスしてマッサージをすることができる。当該角度αは、約９０°〜約１２０°が好ましく、また、約１１０°の角度αが最適である。
【００３２】
マッサージ機構３は、頚椎部をマッサージする第一マッサージ機構３１、背中部と腰部をマッサージする第二マッサージ機構３２、臀部からアキレス腱までの下肢部をマッサージする第三マッサージ機構３３とから構成され、前記背凭れ部２の中空部２３に内蔵されている。
【００３３】
図３は、第一マッサージ機構３１の構成を示す図である。第一マッサージ機構３１は、電動駆動により回転する一対の回転台３１１の上面に一対の回転式揉み玉３１２を突設して形成されている。詳細には図示しないが、第一マッサージ機構３１のハウジング３１３に内蔵された電気モータ等の駆動手段による回転運動を回転台３１１に伝達することにより、回転台３１１を回転させる。これに従って、回転式揉み玉３１２を回転させ、使用者は、当該回転式揉み玉３１２によって頚椎部をマッサージすることができる。
【００３４】
図４（ａ）は、第二マッサージ機構３２の構成を示す側面図であり、図４（ｂ）は、第二マッサージ機構３３の構成を示す外観斜視図である。なお、第三マッサージ機構３３は、第二マッサージ機構３２と同様の構成であるので、図示を省略し、第二マッサージ機構３２と同時に説明する。第二マッサージ機構３２及び第三マッサージ機構３３は、電動駆動により一対のＴ字型揉み玉３２１、３３１が左右及び上下に揺動可能に構成され、当該第二マッサージ機構３２及び第三マッサージ機構３３のＴ字型に形成された上部両端の揉み叩き部３２２、３３２により、使用者に対してマッサージの揉み効果と叩き効果を供することができる。当該Ｔ字型揉み玉３２１、３３１は、当該マッサージ機構３２、３３のハウジング３２３、３３３内の電気モータの電動駆動よる回転運動をピストン運動に変換して棒部材３２４、３３４に伝達し、当該棒部材３２４、３３４がＴ字型揉み玉３２１、３３１の下端を連続して叩くことにより、回転軸３２５、３３５を軸として、図中左右の揉み叩き部３２２、３３２が交互に上下運動するように構成されている。当該Ｔ字型揉み玉３２１、３３１の左右及び上下に揺動可能な構成は、通常市販されているマッサージ装置のＴ字型揉み玉と同様のものであってもよく、特に限定されるものではなく、Ｔ字型揉み玉３２１、３３１を左右及び上下に揺動可能に形成できればどのような構成であってもよい。
【００３５】
また、第二マッサージ機構３２と第三マッサージ機構３３は、使用者の身長方向に中空部２３内をスライド移動するように取付けられている。図２に示すように、当該第二マッサージ機構３２及び第三マッサージ機構３３が内蔵された中空部２３の内縁面にはレールとしてのラック３２６、３３６が設けられ、第二マッサージ機構３２及び第三マッサージ機構３３のハウジング３２３、３３３の表面に回転可能に設けられた小歯車３２７、３３７が設けられている。第二マッサージ機構３２及び第三マッサージ機構３３は、ラック３２６、３３６と小歯車３２７、３３７とが噛み合って小歯車３２７、３３７を電動駆動により回転させることにより、背凭れ部２内を上下にスライド移動可能に形成されている。
【００３６】
本実施例では、第二マッサージ機構３２及び第三マッサージ機構３３のスライド移動による上下方向の各可動範囲は、夫々約８００ｍｍに設定され、第二マッサージ機構３２は、使用者背中側の肩部から腰部までを揉み叩いてマッサージ可能であり、第二マッサージ機構３３は、臀部からアキレス腱までを揉み叩いてマッサージ可能に形成されている。このように、第二マッサージ機構３２及び第三マッサージ機構３３がスライド移動することにより、使用者は、背中側の肩部からアキレス腱までを十分に揉み叩いてマッサージすることができる。また、スライド移動によって揉み叩き部３２２、３３２が使用者の身体表面に擦れることにより、当該スライド移動によるマッサージ効果をも得ることができる。なお、当該第二マッサージ機構３２及び第三マッサージ機構３３のスライド移動可能な構成は、これに限られるものではなく、背凭れ部２内をスライド移動可能に構成されていれば、どのようなものであってもよい。
【００３７】
また、当該マッサージ機構３は、当該実施例に限られるものではない。例えば、前記マッサージ機構３１とマッサージ機構３３を設けず、マッサージ機構３２を背凭れ部２の上下方向全体にスライド可能に設け、マッサージ機構３２によって頚椎部からアキレス腱までの全身マッサージを行ってもよい。また、例えば、マッサージ機構３のいずれもスライド移動させず、使用者の頚椎部、肩部、背中部、腰部、臀部、大腿部、脹脛部又はアキレス腱に対応する背凭れ部２の表面位置に夫々マッサージ機構３の回転式揉み玉３１２又はＴ字型揉み玉３２１を設け、各マッサージ機構３によって使用者の各身体部位をマッサージしてもよい。
【００３８】
すなわち、マッサージ機構３は、背凭れ部２において、回転式揉み玉３１２又はＴ字型揉み玉３２１等の揉み玉の形状の選択、夫々配置数や配置箇所、スライド移動の可否を適宜選択可能であり、使用者の頚椎部、肩部、背中部、腰部、臀部、大腿部、脹脛部又はアキレス腱の少なくとも１つに対応し、また、必要に応じてスライド移動させることにより、使用者全身の背中側全体をマッサージ可能に構成されていればよい。
【００３９】
支持部４は、足載せ可能な基台として形成され、当該支持部４の上側に背凭れ部２が立設されている。使用者は、当該支持台４の上面に足を載せ、前記背凭れ部２に凭れ掛かることにより、マッサージ装置１を用いてマッサージを行う。この際、使用者は、支持部４の上面に載って背凭れ部２に凭れ掛かるため、使用者の自重で以っても背凭れ部２を支持することができる。なお、当該支持部４は、本実施例のように基台として形成するだけでなく、壁掛け用に支持可能となるように背凭れ部２の裏面にフック状等の支持部４としてもよく、その構成は基台としての支持部４に限定されるものではない。
【００４０】
また、当該支持部４の上面は、使用者が足裏を載置した際、爪先側が踵部よりも上になるように傾斜して形成されている。これにより、使用者は、身体の背中方向へ背凭れ部２に無理なくリラックスして凭れ掛かることができ、また、足部の爪先を挙げた状態になるため、アキレス腱を伸ばしてほぐすこともできる。当該支持部４の上面の傾斜角度βは、使用者がマッサージ装置１を使用してマッサージを行うに際し、約１０°〜約２０°が好ましく、約１３°が最適である。なお、当該支持部４の上面が水平方向にフラットであっても、前記背凭れ部２によるマッサージは可能であり、同様のマッサージ効果を得ることができる。
【００４１】
また、当該支持部４は、図５に示すように、前記背凭れ部２と折畳み可能に接続部５を介して接続されている。これにより、当該マッサージ装置１を容易に持ち運びすることができ、また、収納スペースを効率的に利用することができる。
【００４２】
また、必要に応じて背凭れ部２の両側に手摺り６を設けてもよい。使用者は、当該マッサージ装置１の使用中に、マッサージ機構３の振動による使用者の身体のブレを防止することができ、また、高齢者や身体障害者は、当該手摺り６を把持することにより、マッサージ装置１の使用時において、身体を安定させて的確且つ安全にマッサージをすることができる。
【００４３】
図６は、当該マッサージ装置１の使用状態を示す側面図である。このように、マッサージ装置１は、使用者が支持部４の上面に載り、背凭れ部２に凭れ掛かった立位の状態で、マッサージ機構３１により頚椎部を、マッサージ機構３２により肩部から腰部を、マッサージ機構３３により臀部からアキレス腱をマッサージでき、マッサージ機構３により使用者全身の背中側を容易にマッサージすることができる。また、支持部４の上面は、爪先側が上になるように傾斜しているため、使用者は、アキレス腱を伸ばしてほぐすこともできる。なお、使用者夫々の身長差等の身体的差異により、各マッサージ機構３によるマッサージ可能な身体部位が変更可能であることは言うまでもない。
【００４４】
このように、本願発明のマッサージ装置１は、立位でマッサージを行うことができるので、座位でマッサージするマッサージ椅子に比べてスペースをとるものではなく、且つ、使用者全身の背中側、頚椎部からアキレス腱までを簡単に一度でマッサージすることができ、時間的に、また、マッサージ可能な範囲的に、効率的な全身のマッサージ効果を供することができる。
【００４５】
次に、第二実施例のマッサージ装置１について、図７及び図８を用いて具体的に説明する。当該マッサージ装置１は、背凭れ部２については前記第一実施例のマッサージ装置１と同様の構成であるため説明を省略し、第一実施例のマッサージ装置１の支持部４と相違する点について説明する。
【００４６】
図７は、当該第二実施例のマッサージ装置１を示す外観斜視図である。当該第二実施例のマッサージ装置１に係る支持部４は、複数の突起４１が当該支持部４の上面部４２の爪先から土踏まずまでの対応位置に設けられて形成されている。一方で、当該支持部４の上面部４２の踵部側は、当該複数の突起４１は設けられておらず、平坦面に形成されている。
【００４７】
足裏のツボは、足裏の爪先から土踏まずまでの部分に集中しており、例えば、足裏の親指には鼻のツボ、人差し指の付け根には目のツボ、その他ほぼ全ての臓器等の身体部位のツボが当該部分に存在している。そのため、前記支持部４の上面部４２の爪先から土踏まずまでの対応位置にのみ突起４１を設けることにより、使用者は、効率的に足裏のツボのマッサージを行うことができる。また、使用者の踵部は、支持部４の上面部４２の踵側の平坦面に載置されるため、背凭れ部２によるマッサージ中で身体が揺れる状態にあっても踏ん張りが効く。そのため、使用者は、踵部で身体を安定させて安全で効果的にマッサージを行うことができる。
【００４８】
また、当該支持部４の上面部４２は、支持部４に内蔵された振動手段により、前後左右又は上下に振動可能に形成されている。当該振動手段は、通常市販されている振動可能なマッサージ装置の振動手段と同様のものであればよく、特に限定されるものではなく、当該支持部４の上面部４２を前後左右又は上下に揺動可能に形成できればどのような構成であってもよい。このように、支持部４の上面部４２が振動することにより、使用者は、自身の足裏のツボをより効率的にマッサージをすることができる。この際、支持部４の上面部４２の踵部側に複数の突起４１を設けず平坦面に形成したため、足裏のツボが集中する爪先から土踏まずの部分を重点的にマッサージすることができ、且つ、踵部で振動に対して踏ん張ることができ、安全で効果的にマッサージすることができる。
【００４９】
図８は、当該第二実施例のマッサージ装置１の使用状態を示す側面図である。使用者は、複数の突起４１に足裏の爪先から土踏まずの部分が接するようにして支持部４の上面に足裏を載置し、背中から背凭れ部２に凭れ掛かる。そして、マッサージ機構３を起動させることで、使用者は、背凭れ部２のマッサージ機構３によって背中側全体のマッサージを行うことができる。また、支持部４の上面部４２を上下又は前後左右に振動させることにより、使用者は、支持部４の複数の突起４１よって足裏のツボのマッサージをも行うことができる。このように、当該第二実施例のマッサージ装置１によれば、使用者の頚椎部からアキレス腱、そして、足裏のツボまでの全身のマッサージを立位の状態のままでスペースをとられることなく簡単に行うことができる。
【００５０】
この際、支持部４の上面部４２が爪先側が上になるように傾斜して形成され、且つ、踵部側には突起４ａが設けられていないため、上記の通り、使用者は、背凭れ部２に対して無理なくリラックスして凭れ掛かることができ、且つ、アキレス腱を伸ばしてほぐすことができる。また、背中部等の全身のマッサージ時の身体の揺れや支持部４の上面部４２の振動に対して踏ん張りやすく、本発明に係るマッサージ装置１を安全に使用することができる。
【産業上の利用可能性】
【００５１】
本発明に係るマッサージ装置１によれば、テレビを観ながら等でも時間を有効的に活用してマッサージすることができる。
【符号の説明】
【００５２】
１      マッサージ装置
２      背凭れ部
２１    フレーム
２２    ウレタンスポンジ
２３    中空部
２４    ラチェット
３      マッサージ機構
３１    第一マッサージ機構
３１１  回転台
３１２  回転式揉み玉
３１３  ハウジング
３２    第二マッサージ機構
３２１  Ｔ字型揉み玉
３２２  揉み叩き部
３２３  ハウジング
３２４  棒部材
３２５  回転軸
３２６  ラック
３２７  小歯車
３３    第三マッサージ機構
３３１  Ｔ字型揉み玉
３３２  揉み叩き部
３３３  ハウジング
３３４  棒部材
３３５  回転軸
３３６  ラック
３３７  小歯車
４      支持部
４１    突起
４２    上面部
５      接続部
６      手摺り
α      角度
β      角度
【図１】
2015150265.tif 000003
【図２】
2015150265.tif 000004
【図３】
2015150265.tif 000005
【図４】
2015150265.tif 000006
【図５】
2015150265.tif 000007
【図６】
2015150265.tif 000008
【図７】
2015150265.tif 000009
【図８】
2015150265.tif 000010